(57)【特許請求の範囲】
【請求項１】
所定の色域に対応した透過型の２枚のカラーチャートを、該２枚のカラーチャートにおける同色のカラーパッチ同士の位置を揃えて重ね合わせてなり、前記所定の色域よりも彩度の高い特定の色域に対応した色再現評価用のカラーチャートとして構成された、ことを特徴とする広色域カラーチャート。
【請求項２】
所定の色域に対応した透過型の２枚のカラーチャートと、該２枚のカラーチャートを該２枚のカラーチャートにおける同色のカラーパッチ同士の位置が揃うように重ね合わせた状態で保持し、保持した前記２枚のカラーチャートを、前記所定の色域よりも彩度の高い特定の色域に対応した色再現評価用のカラーチャートとして使用可能とするカラーチャート保持手段と、該カラーチャート保持手段により保持された前記２枚のカラーチャートをその背面側から、均一な強度分布の照明光により照明するバックライト手段と、を備えたことを特徴とする広色域カラーチャート装置。
【請求項３】
前記カラーチャート保持手段により保持された前記２枚のカラーチャートの間に、前記２枚のカラーチャートを重ね合わせて使用することが原因で観察されるモアレ縞の発生を防止する透過型の拡散板を配置したことを特徴とする請求項２に記載の広色域カラーチャート装置。
【請求項４】
所定の色域に対応した透過型の２枚のカラーチャートを、該２枚のカラーチャートにおける同色のカラーパッチ同士の位置が揃うように重ね合わせた状態で保持し、保持した前記２枚のカラーチャートを、前記所定の色域よりも彩度の高い特定の色域に対応した色再現評価用のカラーチャートとして使用可能とする２枚カラーチャート保持ステップと、
保持された前記２枚のカラーチャートをその背面側から、均一な強度分布の照明光により照明する２枚カラーチャート照明ステップと、
照明された前記２枚のカラーチャートをその正面側から、被検カメラを用いて撮影する２枚カラーチャート撮影ステップと、
前記被検カメラにより撮影された前記２枚のカラーチャートの各カラーパッチの再現色データを、該カラーチャートを２枚重ねで用いた際の各カラーパッチの参照用色データと比較することにより、彩度の高い色域での色再現評価を行う高彩度色評価ステップと、
をこの順に行う２枚カラーチャート評価手順を備えたことを特徴とする広色域カラーチャートを用いた色再現評価方法。
【請求項５】
前記所定の色域に対応した透過型の１枚のカラーチャートを保持し、保持した前記１枚のカラーチャートを、前記所定の色域に対応した色再現評価用のカラーチャートとして使用可能とする１枚カラーチャート保持ステップと、
保持された前記１枚のカラーチャートをその背面側から、均一な強度分布の照明光により照明する１枚カラーチャート照明ステップと、
照明された前記１枚のカラーチャートをその正面側から、前記被検カメラを用いて撮影する１枚カラーチャート撮影ステップと、
前記被検カメラにより撮影された前記１枚のカラーチャートの各カラーパッチの再現色データを、該カラーチャートを１枚で用いた際の各カラーパッチの参照用色データと比較することにより、彩度の低い色域での色再現評価を行う低彩度色評価ステップと、
をこの順に行う１枚カラーチャート評価手順を備えたことを特徴とする請求項４に記載の広色域カラーチャートを用いた色再現評価方法。
【発明の詳細な説明】
【技術分野】
【０００１】
本発明は、カメラ、ディスプレイ、プリンタ等において再現された色の評価や校正に用いられるカラーチャートの技術に関するものであり、特に、色の再現域が広いカメラ等の色再現評価用として好適な広色域カラーチャート、広色域カラーチャート装置及び広色域カラーチャートを用いた色再現評価方法に関する。
【背景技術】
【０００２】
近年、色再現域の広いカメラ、ディスプレイ、プリンタ等が開発され、広色域化の要求が高まっている。ハイビジョン（HDTV：High Definition Television）の次世代のテレビジョンシステムであるスーパーハイビジョン（UHDTV：Ultra High Definition Television）においても、ハイビジョンに対応したRec．709と称される従来の色域に比較して、ＲＧＢの３原色の彩度をより高く設定した広色域表色系が提案されている。
【０００３】
カメラ等の色再現機器においては、再現された色が元の色と一致しているか等を判断するための色再現評価を行い、再現される色の校正を行うことが重要となる。従来の色域（Rec．709）に対応したカメラ等における色再現評価・色校正では、２４色のカラーパッチ（色票）を有する、Color Checker Classicと称される反射型のカラーチャート（従来「マクベスチャート」という名称で広く知られているので、本明細書では、以下「マクベスチャート」と称する）が、デファクトスタンダードして一般的に用いられている。
【０００４】
一方、従来の色域を越える色再現域の広いカメラ等における色再現評価・色校正においては、標準となり得るようなカラーチャートはなく、種々の提案や試みがなされている段階である。例えば、下記特許文献１には、高い彩度を有する透光性フィルタをカラーパッチとして備えた透過型の広色域カラーチャートが提案されている。また、従来のマクベスチャートよりも高い彩度を有する各色のカラーパッチを備えた反射型の広色域カラーチャートを作成する試みもなされている。
【先行技術文献】
【特許文献】
【０００５】
【特許文献１】特開２００３−１７２６５９号公報
【発明の概要】
【発明が解決しようとする課題】
【０００６】
上述したような従来手法により高彩度な色域に対応し得る広色域カラーチャートを作成するには、これまでの色材よりも彩度の高い色材を用いてカラーパッチを着色することが必要となる。しかし、高彩度の色材として知られている有機顔料は一般に耐久性が低く、このような色材をカラーパッチの着色材として用いた広色域カラーチャートの場合、時間的に安定した表色性能を発揮することが困難となる。
【０００７】
本発明はこのような事情に鑑みなされたものであり、高彩度な色域に対応しつつ安定した表色性能を発揮することが可能な広色域カラーチャート及び広色域カラーチャート装置、並びにこのような広色域カラーチャートを用いた色再現評価方法を提供することを目的とする。
【課題を解決するための手段】
【０００８】
上記課題を解決するため本発明に係る広色域カラーチャートは、所定の色域に対応した透過型の２枚のカラーチャートを、該２枚のカラーチャートにおける同色のカラーパッチ同士の位置を揃えて重ね合わせてなり、前記所定の色域よりも彩度の高い特定の色域に対応した色再現評価用のカラーチャートとして構成された、ことを特徴とする。
【０００９】
また、本発明に係る広色域カラーチャート装置は、所定の色域に対応した透過型の２枚のカラーチャートと、該２枚のカラーチャートを該２枚のカラーチャートにおける同色のカラーパッチ同士の位置が揃うように重ね合わせた状態で保持し、保持した前記２枚のカラーチャートを、前記所定の色域よりも彩度の高い特定の色域に対応した色再現評価用のカラーチャートとして使用可能とするカラーチャート保持手段と、該カラーチャート保持手段により保持された前記２枚のカラーチャートをその背面側から、均一な強度分布の照明光により照明するバックライト手段と、を備えたことを特徴とする。
【００１０】
本発明のカラーチャート装置において、前記カラーチャート保持手段により保持された前記２枚のカラーチャートの間に、前記２枚のカラーチャートを重ね合わせて使用することが原因で観察されるモアレ縞の発生を防止する透過型の拡散板を配置することができる。
【００１１】
また、本発明に係るカラーチャートを用いた色再現評価方法は、
所定の色域に対応した透過型の２枚のカラーチャートを、該２枚のカラーチャートにおける同色のカラーパッチ同士の位置が揃うように重ね合わせた状態で保持し、保持した前記２枚のカラーチャートを、前記所定の色域よりも彩度の高い特定の色域に対応した色再現評価用のカラーチャートとして使用可能とする２枚カラーチャート保持ステップと、
保持された前記２枚のカラーチャートをその背面側から、均一な強度分布の照明光により照明する２枚カラーチャート照明ステップと、
照明された前記２枚のカラーチャートをその正面側から、被検カメラを用いて撮影する２枚カラーチャート撮影ステップと、
前記被検カメラにより撮影された前記２枚のカラーチャートの各カラーパッチの再現色データを、該カラーチャートを２枚重ねで用いた際の各カラーパッチの参照用色データと比較することにより、彩度の高い色域での色再現評価を行う高彩度色評価ステップと、
をこの順に行う２枚カラーチャート評価手順を備えたことを特徴とする。
【００１２】
本発明のカラーチャートを用いた色再現評価方法において、
前記所定の色域に対応した透過型の１枚のカラーチャートを保持し、保持した前記１枚のカラーチャートを、前記所定の色域に対応した色再現評価用のカラーチャートとして使用可能とする１枚カラーチャート保持ステップと、
保持された前記１枚のカラーチャートをその背面側から、均一な強度分布の照明光により照明する１枚カラーチャート照明ステップと、
照明された前記１枚のカラーチャートをその正面側から、前記被検カメラを用いて撮影する１枚カラーチャート撮影ステップと、
前記被検カメラにより撮影された前記１枚のカラーチャートの各カラーパッチの再現色データを、該カラーチャートを１枚で用いた際の各カラーパッチの参照用色データと比較することにより、彩度の低い色域での色再現評価を行う低彩度色評価ステップと、
をこの順に行う１枚カラーチャート評価手順を備えるようにすることができる。
【００１３】
上記「所定の色域」とは、Rec．709のような従来の一般的な色域とすることができるが、これに限定されるものではなく、任意の色域とすることが可能である。
【００１４】
また、上記「２枚のカラーチャート」は、同仕様のカラーチャートであることが好ましいが、仕様が異なる２枚のカラーチャートを用いることを排除するものではない。例えば、重ね合わせたときに、同色のカラーパッチの位置を揃えることができるように各カラーパッチが配列されているのであれば、カラーパッチの数が互いに異なる２枚のカラーチャートを用いることも可能である。
【発明の効果】
【００１５】
本発明に係る広色域カラーチャート及び広色域カラーチャート装置によれば、所定の色域に対応した透過型の２枚のカラーチャートを、同色のカラーパッチ同士の位置を揃えて重ね合わせるという特徴構成を備えたことにより、以下のような効果を奏する。
【００１６】
すなわち、同色のカラーパッチ同士の位置を揃えて重ね合わせることにより、各色のカラーパッチにおける彩度を高くすることができる。このような効果は、従来の色域（例えば、Rec．709）に対応した透過型カラーチャートを２重にして用いた場合でも、十分に得ることができるので、彩度を高くするために、耐久性が低い色材を用いてカラーパッチを着色する必要はない。
【００１７】
したがって、本発明によれば、高彩度な色域に対応しつつ安定した表色性能を発揮することが可能な広色域カラーチャート及び広色域カラーチャート装置を実現することが可能となる。
【００１８】
また、本発明に係る広色域カラーチャートを用いた色再現評価方法によれば、所定の色域に対応した透過型の２枚のカラーチャートを、同色のカラーパッチ同士の位置を揃えて重ね合わせて用いることにより、従来よりも高彩度な色を再現し得る色再現域の広いカメラ等の色再現評価を適正に行うことが可能となる。
【図面の簡単な説明】
【００１９】
【図１】本発明の一実施形態に係る広色域カラーチャートの正面図である。
【図２】図１に示す広色域カラーチャートの構成を示す概略図である。
【図３】図２に示すＸ−Ｘ線に沿った部分の拡大断面図である。
【図４】本発明の一実施形態に係る広色域カラーチャート装置の正面図である。
【図５】１枚のカラーチャートの各カラーパッチの色度点の分布を示すグラフである。
【図６】重ね合わせた２枚のカラーチャートの各カラーパッチの色度点の分布を示すグラフである。
【図７】実在する表面色のデータベースであるポインターカラーの色度分布を示すグラフである。
【図８】カラーチャートが１枚の場合と２枚重ねの場合とにおけるグリーンのカラーパッチ（Ｐ１４）の分光透過率の比較を示すグラフである。
【図９】本発明の一実施形態に係る広色域カラーチャートを用いた色再現評価方法を行う際の装置構成図である。
【図１０】被検カメラにより撮影された各カラーパッチの再現色とその本来の色（参照色）との色差の一例を示すグラフである。
【図１１】ｘｙ色度図上における、被検カメラにより撮影された各カラーパッチの再現色の色度点とその本来の色（参照色）の色度点の分布の一例を示すグラフである。
【発明を実施するための形態】
【００２０】
以下、本発明に係る広色域カラーチャート、広色域カラーチャート装置及び広色域カラーチャートを用いた色再現評価方法の各実施形態について、上記図面を参照しながら詳細に説明する。
【００２１】
〈広色域カラーチャート〉
本発明の一実施形態に係る広色域カラーチャート１０は、図２に示すように、透過型の２枚のカラーチャート１１Ａ，１１Ｂと、透過型の拡散板１２と、これら２枚のカラーチャート１１Ａ，１１Ｂ及び拡散板１２を保持するホルダ１３と、から構成されている。
【００２２】
２枚のカラーチャート１１Ａ，１１Ｂは、従来の色域（Rec．709）に対応した同一仕様のものであり、透明な硝子板の一面に印刷により形成された透過型の２４色のカラーパッチＰ１〜Ｐ２４を備えている。なお、各カラーパッチＰ１〜Ｐ２４の色は、従来のマクベスチャートにおける各カラーパッチの色と略一致するように設定されており、各色の配列順もマクベスチャートと同じとされている（カラーパッチＰ１〜Ｐ１８は有彩色、カラーパッチＰ１９〜Ｐ２４は無彩色）。
【００２３】
２枚のカラーチャート１１Ａ，１１Ｂは、各々のカラーパッチＰ１〜Ｐ２４の位置が同色同士で互いに揃うように重ね合わされた状態で、ホルダ１３に保持されるようになっている。具体的には図３に示すように、ホルダ１３の内周部には、４個の溝部１３ａ，１３ｂ，１３ｃ，１３ｄが形成されており、これらの溝部１３ａ，１３ｂ，１３ｃ，１３ｄのうちの何れか２つ（通常、溝部１３ｃ，１３ｄ）に、２枚のカラーチャート１１Ａ，１１Ｂをそれぞれ差し込むようにしてホルダ１３内に収容することにより、２枚のカラーチャート１１Ａ，１１Ｂにおける各カラーパッチＰ１〜Ｐ２４の位置が同色同士で互いに揃うように構成されている。なお、上記溝部１３ａ，１３ｂ，１３ｃ，１３ｄには、カラーチャート１１Ａ，１１Ｂの他に、照明光の色温度や分光強度分布等を調整するための各種光学フィルタを必要に応じて適宜配置することが可能となっている。
【００２４】
上記拡散板１２は、２枚のカラーチャート１１Ａ，１１Ｂを重ね合わせて使用する際に、２枚のカラーチャート１１Ａ，１１Ｂの間に配置される。具体的には本実施形態では、図３に示すようにカラーチャート１１Ａの後方（背面側）に配置されるカラーチャート１１Ｂの前面に、両面接着テープ等により拡散板１２を貼付することにより、２枚のカラーチャート１１Ａ，１１Ｂの間に拡散板１２を配置している。なお、この拡散板１２は、カラーパッチＰ１〜Ｐ２４の色が網点印刷により形成されている場合などにおいて、２枚のカラーチャート１１Ａ，１１Ｂを重ね合わせて使用すると観察される虞があるモアレ縞の発生を防止する目的で配置されるものである。したがって、このようなモアレ縞が発生する虞が無いような場合には、敢えて配置する必要はない。
【００２５】
本実施形態の広色域カラーチャート１０は、２枚のカラーチャート１１Ａ，１１Ｂ及び拡散板１２を重ね合わせて使用するだけではなく、カラーチャート１１Ｂ及び拡散板１２をホルダ１３から取り出すことにより、１枚のカラーチャート１１Ａを単独で使用することもできるように構成されている。そして、１枚のカラーチャート１１Ａを単独で使用した場合には、従来のハイビジョン（HDTV）での色域（Rec．709）に対応したカラーチャートとして、また、２枚のカラーチャート１１Ａ，１１Ｂ及び拡散板１２を重ね合わせて使用した場合には、次世代のスーパーハイビジョン（UHDTV）で提案されている広い色域に対応したカラーチャートとして、テレビカメラ等における色再現評価に用いることが可能となっている。
【００２６】
〈広色域カラーチャート装置〉
本発明の一実施形態に係る広色域カラーチャート装置２０は、図４に示すように、上述した広色域カラーチャート１０と、バックライト手段としての均一化照明装置３０と、を備えてなる。
【００２７】
均一化照明装置３０は、光源装置３１、積分球３２及び積分球支持ステージ３３により構成されている。光源装置３１は、相関色温度６５００Ｋの光を出力するＤ６５光源（図示せず）を備えており、このＤ６５光源からの出力光が積分球３２の内部に照射されるように、積分球３２の一側部に設置されている。
【００２８】
積分球３２は、その内面が硫酸バリウムや酸化チタン等の白色塗料を塗布されてなる拡散反射面により構成されており、光源装置３１のＤ６５光源からの出力光を拡散反射することにより均一な強度分布の照明光となし、この照明光を当該積分球３２の正面部に形成された出力用開口（図示せず）から出射するように構成されている。
【００２９】
また、積分球３２には、矩形枠状に形成された保持プレート３４が上記出力用開口を囲うように取り付けられており、上記広色域カラーチャート１０は、この保持プレート３４により保持され、上記出力用開口を臨むように配置されている。このように本実施形態では、広色域カラーチャート１０のホルダ１３と保持プレート３４により、２枚のカラーチャート１１Ａ，１１Ｂを重ね合わせた状態で保持する保持手段が構成されている。
【００３０】
積分球支持ステージ３３は、積分球３２を支持するとともに、支持した積分球３２の高さ方向（図中上下方向）の位置を調整し得るように構成されている。
【００３１】
広色域カラーチャート装置２０は、保持プレート３４に保持された広色域カラーチャート１０を、均一化照明装置３０から出射される照明光により背面側から照明することにより、広色域カラーチャート１０の各カラーパッチＰ１〜Ｐ２４（図１参照）から、均一な強度分布の各色光を出射するようになっている。
【００３２】
〈各カラーパッチの色度点〉
上述した広色域カラーチャート１０または広色域カラーチャート装置２０において、カラーチャート１１Ａを１枚で使用した場合の各色のカラーパッチＰ１〜Ｐ２４の色度点（色度座標）は、国際照明委員会（ＣＩＥ）が定めたＸＹＺ表色系のｘｙ色度図上において、図５に示すように分布している。
【００３３】
一方、広色域カラーチャート１０または広色域カラーチャート装置２０において、カラーチャート１１Ａ，１１Ｂを２枚重ねて使用した場合の各色のカラーパッチＰ１〜Ｐ２４の色度点は、ｘｙ色度図上において、図６に示すように分布している。なお、図５，６に示す各色度点は、下記参考文献１に記載された色データに基づき、Ｄ６５光源の分光分布下で計算により求めたものである。
【００３４】
参考文献１：大田登  色再現工学の基礎  コロナ社  1997年
【００３５】
図５に示すように、カラーチャート１１Ａを１枚で使用した場合の各色のカラーパッチＰ１〜Ｐ２４の色度点は、従来のハイビジョン（HDTV）での色域（図中の小さい方の三角形の領域）内において分布している。これに対し、カラーチャート１１Ａ，１１Ｂを２枚重ねて使用した場合の各色のカラーパッチＰ１〜Ｐ２４の色度点は、図６に示すように、それらのうちの有彩色の幾つかの色度点がハイビジョン（HDTV）の色域を超えた領域に分布するなど、全体として次世代のスーパーハイビジョン（UHDTV）で提案されている広色域（図中の大きい方の三角形の領域）内に広く分布していることが分かる。
【００３６】
図７に、実在する表面色のデータベースであるポインターカラー（pointer’s color）の色度分布を示す。このポインターカラーの色度分布を参照すると、カラーチャート１１Ａ，１１Ｂを２枚重ねて使用した場合の色度点は、カラーチャート１１Ａを１枚で使用した場合の色度点よりも、実在する色の分布を代表していることが分かる。
【００３７】
また、図８に、カラーチャート１１Ａを１枚で使用した場合のカラーパッチＰ１４（グリーン）の分光透過率（図中実線で示す）と、２枚のカラーチャート１１Ａ，１１Ｂを重ねて使用した場合のカラーパッチＰ１４の分光透過率（図中破線で示す）を、それぞれのグラフのピークが１になるように正規化して示している。図８を参照すると、カラーチャート１１Ａ，１１Ｂを２枚重ねて使用した場合の方が、カラーチャート１１Ａを１枚で使用した場合よりも、Ｑ値が高い分光透過率となっていることが分かる。
【００３８】
〈広色域カラーチャートを用いた色再現評価方法〉
以下、上述した広色域カラーチャート装置２０（広色域カラーチャート１０）を用いた色再現評価方法について説明する。
【００３９】
《装置のセッティング》
図９に示すように、被検カメラ５０が広色域カラーチャート１０を撮影し得るように、広色域カラーチャート装置２０を被検カメラ５０の前方にセットする。その際、被検カメラ５０のレンズのシェーディングが解析に影響しないように、また、グレアの影響（隣り合うパッチの光の漏れ）が無いように、撮影時の画角や視距離が調整される。
【００４０】
本実施形態では、被検カメラ５０により撮影された画像データを、コンピュータ等からなる解析装置４１により解析することにより、被検カメラ５０の色再現評価を行う。解析装置４１への指示は、キーボードやマウス等からなる入力装置４３を介して行い、被検カメラ５０により撮影された画像や色再現評価の結果等は、表示装置４２の表示画面上に表示されるようになっている。
【００４１】
《１枚カラーチャート評価手順》
（１）広色域カラーチャート装置２０の広色域カラーチャート１０のホルダ１３内に、カラーチャート１１Ａを単独でセットする（１枚カラーチャート保持ステップ）。
【００４２】
（２）セットされたカラーチャート１１Ａをその背面側から、広色域カラーチャート装置２０の均一化照明装置３０から出射された均一な強度分布の照明光により照明する（１枚カラーチャート照明ステップ）。
【００４３】
（３）照明されたカラーチャート１１Ａを、被検カメラ５０により撮影する（１枚カラーチャート撮影ステップ）。
【００４４】
（４）被検カメラ５０により撮影されたカラーチャート１１Ａの各カラーパッチＰ１〜Ｐ２４の再現色データ（例えば、ｘｙ色度図上での色度点）を、カラーチャート１１Ａを１枚（単独）で用いた際の各カラーパッチＰ１〜Ｐ２４の本来の色を表す参照用色データ（例えば、図５に示す色度点）と比較する（例えば、両者の色差を求める）ことにより、彩度の低い色域（ハイビジョン（HDTV）の色域）での色再現評価を行う（低彩度色評価ステップ）。
【００４５】
《２枚カラーチャート評価手順》
〔１〕広色域カラーチャート装置２０の広色域カラーチャート１０のホルダ１３内に、２枚のカラーチャート１１Ａ，１１Ｂを、各々のカラーチャート１１Ａ，１１Ｂにおける同色のカラーパッチ同士の位置が揃うように重ね合わせた状態で、かつ拡散板１２を２枚のカラーチャート１１Ａ，１１Ｂの間に配した状態でセットする（２枚カラーチャート保持ステップ）。
【００４６】
〔２〕セットされた２枚のカラーチャート１１Ａ，１１Ｂをその背面側から、広色域カラーチャート装置２０の均一化照明装置３０から出射された均一な強度分布の照明光により照明する（２枚カラーチャート照明ステップ）。
【００４７】
〔３〕照明された２枚のカラーチャート１１Ａ，１１Ｂをその正面側（カラーチャート１１Ａの側）から、被検カメラ５０により撮影する（２枚カラーチャート撮影ステップ）。
【００４８】
〔４〕被検カメラ５０により撮影された２枚のカラーチャート１１Ａ，１１Ｂの各カラーパッチＰ１〜Ｐ２４の再現色データ（例えば、ｘｙ色度図上での色度点）を、カラーチャート１１Ａ，１１Ｂを２枚重ねで用いた際の各カラーパッチＰ１〜Ｐ２４の本来の色を表す参照用色データ（例えば、図６に示す色度点）と比較する（例えば、両者の色差を求める）ことにより、彩度の高い色域（スーパーハイビジョン（UHDTV）の色域）での色再現評価を行う（高彩度色評価ステップ）。なお、無彩色のカラーパッチＰ１９〜Ｐ２４の色再現評価は、１枚カラーチャート評価手順における低彩度色評価ステップで行い、高彩度色評価ステップでは、有彩色のカラーパッチＰ１〜Ｐ１８の色再現評価のみを行うようにしてもよい。
【００４９】
図１０に、２枚重ねのカラーチャート１１Ａ，１１Ｂを被検カメラ５０により撮影した際に、被検カメラ５０により再現された各カラーパッチＰ１〜Ｐ２４の色（以下、適宜「再現色」と称する）と、その本来の色（以下、適宜「参照色」と称する）との色差の一例を示す。なお、図１０に示すグラフの横軸は、カラーパッチＰ１〜Ｐ２４の番号（１〜２４）を表し、縦軸は、ＣＩＥ９４色差（ΔＥ＊９４）の値を表している。
【００５０】
また、図１１に、ＸＹＺ表色系のｘｙ色度図上において、上記再現色の色度点（図中「再現色度点」と表記）と上記参照色の色度点（図中「参照色度点」と表記）をプロットしたグラフを示す。なお、図１１のグラフ中に表記された数字（１〜１９，２４）は、カラーパッチＰ１〜Ｐ２４の番号に対応している。
【００５１】
〈色再現の校正〉
被検カメラ５０により再現された色を校正する場合には、例えば、被検カメラ５０の色再現特性を決める３×３のマトリックスの係数を、上記再現色と上記参照色との色差が最小になるように最適化する。通常、この最適化の過程において、上述した色再現評価が何度も行われ、最適化されたときの色再現評価値が被検カメラ５０の色再現性能とされる。なお、最適化するための手法としては、例えば、Nelder-Meadシンプレックス法（下記参考文献２，３を参照）を用いることができる。
【００５２】
参考文献２：Nelder, J. A. and R. Mead, " A Simplex Method for Function Minimization," Computer Journal, Vol. 7, p. 308-313, 1965.
参考文献３：Dennis, J. E. Jr. and D. J. Woods, "New Computing Environments: Microcomputers in Large-Scale Computing," edited by A. Wouk, SIAM, 1987, pp. 116-122.
【００５３】
〈態様の変更〉
以上、本発明の実施形態について説明したが、本発明は上述の実施形態に限定されるものではなく、種々に態様を変更することが可能である。
【００５４】
例えば、上記広色域カラーチャート１０は、２枚のカラーチャート１１Ａ，１１Ｂを重ね合わせて使用するだけではなく、１枚のカラーチャート１１Ａを単独で使用することもできるように構成されているが、２枚のカラーチャート１１Ａ，１１Ｂを貼り合わせるなどして一体化し、高彩度の色域に対応した専用のカラーチャートとして構成することも可能である。
【００５５】
また、上記広色域カラーチャート装置２０は、光源装置３１からの出力光の強度分布を均一化するために積分球３２を用いているが、フライアイやロッドレンズ等の他の光学素子を、強度分布を均一化する手段として用いるようにしてもよい。また、均一化照明装置３０に代わる簡易的なバックライト手段として、フィルム用ライトボックス等を用いることも可能である。
【００５６】
また、上記実施形態の色再現評価方法では、１枚カラーチャート評価手順を行った後に、２枚カラーチャート評価手順を行っているが、２枚カラーチャート評価手順の方を先に行うようにしてもよい。また、１枚カラーチャート評価手順における１枚カラーチャート保持ステップ、１枚カラーチャート照明ステップ及び１枚カラーチャート撮影ステップと、２枚カラーチャート評価手順における２枚カラーチャート保持ステップ、２枚カラーチャート照明ステップ及び２枚カラーチャート撮影ステップを先に行い、１枚カラーチャート評価手順における低彩度色評価ステップと、２枚カラーチャート評価手順における高彩度色評価ステップを、その後に行うようにしてもよい。また、１枚カラーチャート評価手順は行わず、２枚カラーチャート評価手順のみを行うことも可能である。
【符号の説明】
【００５７】
１０    広色域カラーチャート
１１Ａ，１１Ｂ    （透過型の）カラーチャート
１２    （透過型の）拡散板
１３    ホルダ
１３ａ〜１３ｄ    溝部
２０    広色域カラーチャート装置
３０    均一化照明装置
３１    光源装置
３２    積分球
３３    積分球支持ステージ
３４    保持プレート
４１    解析装置
４２    表示装置
４３    入力装置
５０    被検カメラ
Ｐ１〜Ｐ２４    カラーパッチ
【図１】
0005856798.tif 000002
【図２】
0005856798.tif 000003
【図３】
0005856798.tif 000004
【図４】
0005856798.tif 000005
【図８】
0005856798.tif 000006
【図９】
0005856798.tif 000007
【図５】
0005856798.tif 000008
【図６】
0005856798.tif 000009
【図７】
0005856798.tif 000010
【図１０】
0005856798.tif 000011
【図１１】
0005856798.tif 000012